(57)【要約】【課題】破損しない水の屋根を形成する方法等を提供する。【解決手段】本発明に係る水の屋根の形成方法は、一方向に長い噴射口２を有した噴射ヘッド１を、噴射口２の長手方向に沿って複数並ぶように配置し、配置された複数の噴射口２，２…から水を噴射させることによって、複数の噴射口２，２…の長手方向に沿って連続する水の屋根ＷＲを形成することを特徴とする。【選択図】図１
2019089012.tif 000002
【特許請求の範囲】
【請求項１】
一方向に長い噴射口を有した噴射ヘッドを、噴射口の長手方向に沿って複数並ぶように配置し、配置された複数の噴射口から水を噴射させることによって、複数の噴射口の長手方向に沿って連続する水の屋根を形成することを特徴とする水の屋根の形成方法。
【請求項２】
一方向に沿って並ぶように配置された複数の噴射ヘッドと、当該複数の噴射ヘッドの噴射口から水を噴射させる水供給手段とを備え、
噴射ヘッドは一方向に長い噴射口を有したことを特徴とする水の屋根の形成装置。
【請求項３】
互いに隣り合う各噴射口から噴射される水が、上下方向に間隔を隔てた水膜を形成するように噴射口が配置されたことを特徴とする請求項２に記載の水の屋根の形成装置。
【請求項４】
噴射ヘッドの噴射口から噴射された水を噴射ヘッドに戻す循環水路を備えたことを特徴とする請求項２又は請求項３に記載の水の屋根の形成装置。
【請求項５】
噴射ヘッドの噴射口から噴射された水を受けて循環水路に導く水受手段を備えたことを特徴とする請求項４に記載の水の屋根の形成装置。
【請求項６】
複数の噴射ヘッドは、通路の左右の側部のうちの一方の側部に、噴射口の長手方向と通路の延長方向とが一致するように、通路の延長方向に沿って複数並ぶように配置されたことを特徴とする請求項２乃至請求項５のいずれかに一項に記載の水の屋根の形成装置。
【請求項７】
複数の噴射ヘッドは、噴射口の長手方向と通路の延長方向とが一致するように、通路の左右の側部にぞれぞれ設けられ、通路の延長方向に沿って千鳥状に並ぶように配置されたことを特徴とする請求項２乃至請求項５のいずれかに一項に記載の水の屋根の形成装置。
【請求項８】
通路の入口側に設けられて人の到来を検出するセンサと、当該センサからの信号に基づいて各噴射口からの水の噴射及び噴射停止を制御する制御装置とを備えたことを特徴とする請求項６又は請求項７に記載の水の屋根の形成装置。
【発明の詳細な説明】
【技術分野】
【０００１】
本発明は、複数の噴射口から水を噴射させて水の屋根を形成する方法等に関する。
【背景技術】
【０００２】
通路の左右両側に柱を立設して、各柱の上方に収容用カバーを設けるとともに、各収容用カバー内に屋根形成用膨出体を設け、これら屋根形成用膨出体内に空気を供給してこれら屋根形成用膨出体を膨らませることにより、各柱間の上方に屋根形成用膨出体による屋根を形成するようにした屋根の形成方法が知られている（特許文献１参照）。
【先行技術文献】
【特許文献】
【０００３】
【特許文献１】特開２０１７−４３９００号公報
【発明の概要】
【発明が解決しようとする課題】
【０００４】
しかしながら、上述した屋根形成用膨出体で形成された屋根では、強風時や台風時等において、屋根を形成する屋根形成用膨出体が破損する恐れがある。
本発明は、破損しない水の屋根を形成する方法等を提供する。
【課題を解決するための手段】
【０００５】
本発明に係る水の屋根の形成方法は、一方向に長い噴射口を有した噴射ヘッドを、噴射口の長手方向に沿って複数並ぶように配置し、配置された複数の噴射口から水を噴射させることによって、複数の噴射口の長手方向に沿って連続する水の屋根を形成するので、破損しない水の屋根を形成できる。つまり、水の屋根なので、破損するということがない。
本発明に係る水の屋根の形成装置は、一方向に沿って並ぶように配置された複数の噴射ヘッドと、当該複数の噴射ヘッドの噴射口から水を噴射させる水供給手段とを備え、噴射ヘッドは一方向に長い噴射口を有したので、破損しない水の屋根を形成できる。
また、互いに隣り合う各噴射口から噴射される水が、上下方向に間隔を隔てた水膜を形成するように噴射口が配置されたので、互いに隣り合う各噴射口から噴射される水が干渉しない水の屋根を形成できる。
また、噴射ヘッドの噴射口から噴射された水を噴射ヘッドに戻す循環水路を備えたので、節水が可能となる。
また、噴射ヘッドの噴射口から噴射された水を受けて循環水路に導く水受手段を備えたので、節水が可能となる。
また、複数の噴射ヘッドは、通路の左右の側部のうちの一方の側部に、噴射口の長手方向と通路の延長方向とが一致するように、通路の延長方向に沿って複数並ぶように配置されたので、通路の上方に水の屋根を形成できる。
また、複数の噴射ヘッドは、噴射口の長手方向と通路の延長方向とが一致するように、通路の左右の側部にぞれぞれ設けられ、通路の延長方向に沿って千鳥状に並ぶように配置されたので、通路の上方に水の屋根を形成できる。
また、通路の入口側に設けられて人の到来を検出するセンサと、当該センサからの信号に基づいて各噴射口からの水の噴射及び噴射停止を制御する制御装置とを備えたので、人の有無を感知して、水の屋根の形成動作及び水の屋根の消滅動作が行われるようになる。
【図面の簡単な説明】
【０００６】
【図１】実施形態１に係る水の屋根の形成装置の概要を示す斜視図。
【図２】（ａ）は噴射ヘッドの正面図、（ｂ）は噴射ヘッドの平面図。
【図３】噴射ヘッドの斜視図。
【図４】水の屋根の断面図。
【図５】噴射ヘッドの配置例を示す図。
【図６】（ａ）は噴射ヘッドの配置例を示す図、（ｂ）は隣り合う各噴射ヘッドの傾斜角度の違いを示す図。
【図７】水の屋根の形成装置の制御システムを示すブロック図。
【図８】実施形態２に係る水の屋根の形成装置の概要を示す斜視図。
【図９】実施形態３に係る水の屋根の形成装置の概要を示す斜視図。
【発明を実施するための形態】
【０００７】
実施形態１
実施形態１に係る水の屋根の形成方法は、一方向に長い噴射口を有した複数の噴射ヘッドを、噴射口の長手方向に沿って複数並ぶように配置し、配置された複数の噴射口から水を噴射させることによって、複数の噴射口の長手方向に沿って連続する水の屋根を形成するようにした。
即ち、各噴射口の長手方向が一直線に沿った方向に向いて各噴射口が一直線に沿った方向で隣り合うように、複数の噴射ヘッドを配置した。
例えば、図１に示すように、通路Ｒの上方に水の屋根ＷＲを形成するために、一方向に長い噴射口２を有した複数の噴射ヘッド１，１…を、各噴射口２，２…の長手方向と通路Ｒの延長方向Ｌとが一致するように、通路Ｒの左右の側部のうちの一方の側部である例えば右側部ＲＲにおいて通路Ｒの延長方向Ｌに沿って並ぶように配置して、配置された複数の噴射口２，２…から水を噴射させることによって、当該複数の噴射口２，２…から噴射された複数の噴射水流により形成された複数の水膜ＷＦにより、通路Ｒの上方に水の屋根ＷＲが形成される。
【０００８】
実施形態１に係る水の屋根の形成方法を実施するための水の屋根の形成装置は、例えば、図１に示すように、通路Ｒの左右の側部のうちの一方の側部である例えば右側部ＲＲの路面側に通路Ｒの延長方向Ｌに沿って配置された複数の噴射ヘッド１，１…と、当該複数の噴射ヘッド１，１…の各噴射口２，２…から水を噴射させる水供給手段と、複数の噴射ヘッド１，１…の各噴射口２，２…から噴射されて通路Ｒの左右の側部のうちの他方の側部である例えば左側部ＲＬの路面側に着水した水を複数の噴射ヘッド１，１…に戻す循環水路４と、水供給手段を制御する制御装置５とを備え、複数の噴射ヘッド１，１…はそれぞれ一方向に長い噴射口２を有し、複数の噴射ヘッド１，１…が、噴射口２の長手方向と通路Ｒの延長方向Ｌとが一致するように、通路Ｒの延長方向Ｌに沿って並ぶように配置された構成とした。
即ち、水の屋根の形成装置は、一方向である通路Ｒの延長方向Ｌに沿って並ぶように配置された複数の噴射ヘッド１，１…が、一方向に長い噴射口２を有している。
【０００９】
図２，図３に示すように、噴射ヘッド１は、後述する分岐管４３に終端開口部に連結される連結部１１と、噴射口形成部１２とを備える。
噴射口形成部１２は、例えば連結部１１の内側の断面円形状の管路１３から延長する断面長方形状の扁平管路１４を形成する管壁により形成される。
噴射ヘッド１の噴射口２は、水を膜状に噴射させるために、例えば、図２（ｂ），図３に示すように、扁平管路１４の終端開口である細長の長方形開口により形成される。
【００１０】
図１に示すように、通路Ｒの例えば右側部ＲＲの路面に通路Ｒの延長方向Ｌに沿って延長するように形成された設置穴ＲＨに、複数の噴射ヘッド１，１…が、通路Ｒの延長方向Ｌに沿って並ぶように配置され、長手方向と通路Ｒの延長方向Ｌとが一致するように配置されて互いに隣り合う各噴射口２，２…から噴射される水が、図４に示すように、上下方向に間隔を隔てた水膜ＷＦ，ＷＦ…を形成するように構成される。当該通路Ｒの延長方向Ｌに沿って隣り合う複数の水膜ＷＦ，ＷＦ…によって、通路Ｒの上方に、通路Ｒの幅方向Ｗ及び通路Ｒの延長方向Ｌに連続する水の屋根ＷＲが形成される。
尚、設置穴ＲＨの上部開口は、例えば、噴射口２，２…を貫通させる貫通孔を備えた蓋ＲＢにより塞がれている。
【００１１】
また、図４は、各噴射口２，２…から噴射されて形成された複数の水膜ＷＦ，ＷＦ…の最上位置での断面を示している。
即ち、各噴射口２，２…から噴射されて形成されて通路Ｒの延長方向Ｌに沿って互いに隣り合う複数の水膜ＷＦ，ＷＦ…は、上下方向に間隔を隔てて形成されるとともに、隣り合う各水膜ＷＦ，ＷＦ…の端部同士が、上又は下から見た場合に重なるように（同一垂直線上に位置するように）形成される。換言すれば、図４に示すように、通路Ｒの延長方向Ｌに沿って隣り合う各水膜ＷＦ，ＷＦ…における一方の水膜ＷＦの側端Ｗａと他方の水膜ＷＦの側端Ｗａとが同一垂直線上に位置せず、一方の水膜ＷＦの側端Ｗａが、他方の水膜ＷＦの側端Ｗａよりも中央側の位置の真下あるいは真上に位置するように形成される。
つまり、通路Ｒの延長方向Ｌに沿って互いに隣り合う各噴射口２，２…から噴射される水が、上下方向に間隔を隔ててかつ端部同士が上下垂直方向で重なるような（同一垂直線上に位置するような）各水膜ＷＦ，ＷＦ…、即ち、外側水膜ＷＦａ、外側水膜ＷＦａよりも内側（通路Ｒの中央側）に位置される内側水膜ＷＦｂを形成するように構成される。
即ち、互いに隣り合う各噴射口２，２…から噴射される水が衝突せずに、外側水膜ＷＦａと内側水膜ＷＦｂとが形成されるように、各噴射口２，２…が配置される。
【００１２】
互いに隣り合う各噴射口２，２…から噴射される水によって、図４に示したような、上下方向に間隔を隔ててかつ端部同士が上下垂直方向で重なるような外側水膜ＷＦａと内側水膜ＷＦｂとを形成する方法としては、例えば、図５に示すように、互いに隣り合う各噴射口２，２…を通路Ｒの幅方向Ｗに位置ずれした位置に配置するようにしたり、あるいは、図６に示すように、互いに隣り合う各噴射ヘッド１，１…の各噴射口２，２…の噴射角度を異なる角度α１，α２に設定した上で、外側水膜ＷＦａを形成する噴射口２から噴射させる水の水圧を、内側水膜ＷＦｂを形成する噴射口２から噴射させる水の水圧よりも高くすればよい。
このように、互いに隣り合う各噴射口２，２…から噴射される水が、外側水膜ＷＦａと内側水膜ＷＦｂとを形成するように噴射口２，２…が配置されたので、互いに隣り合う各噴射口２，２…から噴射される水が干渉しない（衝突しない）外側水膜ＷＦａと内側水膜ＷＦｂとによって、通路Ｒの上方に、通路Ｒの幅方向Ｗ及び通路Ｒの延長方向Ｌに連続する水の屋根ＷＲが形成される。
【００１３】
図１に示すように、通路Ｒの下に設置された循環水路４は、例えば、通路Ｒの例えば左側部ＲＬの路面に通路Ｒの延長方向Ｌに沿って延長するように形成された集水穴ＲＫと、集水穴ＲＫの下方から通路Ｒの例えば右側部ＲＲ側に延長するように設けられた集水管４１と、設置穴ＲＨの下方において集水管４１の終端開口より通路Ｒの延長方向Ｌに沿って延長するように設けられた分配管４２と、分配管４２から上方に延長して終端開口がそれぞれ各噴射ヘッド１，１…の連結部１１に連結される複数の分岐管４３，４３…とを備えた構成である。集水穴ＲＫは、下面が傾斜面に形成され、この傾斜面の下端と集水管４１の始端開口とが連通するように構成されている。
このように、複数の噴射ヘッド１，１…の噴射口２，２…から噴射された水を複数の噴射ヘッド１，１…に戻す循環水路４を備えたので、節水が可能となる。
【００１４】
また、集水管４１と上水道の配水管２１とが上水接続制御バルブ（ＯＮ−ＯＦＦ制御バルブ）３１及び取込水流量センサ３２を介して接続されている。
また、集水管４１と配水管２１との接続位置よりも集水穴ＲＫ側の位置において、集水管４１と下水道管２２とが下水接続制御バルブ（ＯＮ−ＯＦＦ制御バルブ）３３及び排出水流量センサ３４を介して接続されている。
また、各分岐管４３，４３…には、水に噴射圧を付与する噴射装置としての昇圧ポンプ５１がそれぞれ設けられている。
さらに、例えば、集水管４１において、下水道管２２との接続位置と配水管２１との接続位置との間の位置には、各噴射ヘッド１，１…に水を供給したり、各噴射ヘッド１，１…への水の供給を停止するための水供給停止制御バルブ（ＯＮ−ＯＦＦ制御バルブ）３５及び循環水路４を循環する水の量を測定する循環水流量センサ３６が接続されている。
尚、実施形態１では、上水接続制御バルブ３１、水供給停止制御バルブ３５、噴射装置としての各昇圧ポンプ５１，５１…及び、これらを制御する制御装置５によって、複数の噴射ヘッド１，１…の各噴射口２，２…から水を噴射させる水供給手段が構成される。
【００１５】
また、通路Ｒの２つの入口側の側部には、それぞれ、例えば、支柱６：６が設けられ、この支柱６，６に人の到来を検出するスイッチとして機能する人感センサ６１，６１が設けられている。
【００１６】
図７に示すように、制御装置５は、各センサからの信号を入力して各バルブを制御する。
制御装置５は、例えば事前準備として、上水接続制御バルブ３１を開放して配水管２１から集水管４１に水を導入させるとともに、各昇圧ポンプ５１，５１…を駆動させる。そして、配水管２１から集水管４１に導入された水の量が所定量に達したことを取込水流量センサ３２から受信して、上水接続制御バルブ３１を閉鎖する。尚、所定量の水とは、各噴射口２，２…から水を噴射し続けて、継続して一定形状の水の屋根ＷＲを形成し続けることができる量の水のことを言う。
【００１７】
そして、制御装置５は、人感センサ６１，６１や図外の装置スイッチからの信号の有無に基づいて、各噴射口２，２…からの水の噴射及び噴射停止を制御する。
例えば、制御装置５は、通路Ｒの入口側に設けられて人Ｈの到来を検出する人感センサ６１からの信号を入力した場合に、各噴射口２，２…から水を噴射させて水の屋根ＷＲを形成するとともに、人感センサ６１からの信号が所定時間以上入力されない場合に、各噴射口２，２…からの水の噴射を停止する。
このように、人の有無を感知して、水の屋根ＷＲの形成動作及び水の屋根ＷＲの消滅動作が行われるようになる。
【００１８】
尚、時間経過に伴い循環水が汚れるので、所定時間毎に循環水を交換する循環水交換処理を実行する。即ち、所定時間毎に、水供給停止制御バルブ３５を閉じた状態で下水接続制御バルブ３３を開放することにより、循環水路４から下水道管２２へ水を一定の量だけ排水した後、下水接続制御バルブ３３閉じて水供給停止制御バルブ３５を開放するとともに上水接続制御バルブ３１を開放して、配水管２１から、循環水路４に一定の量だけ水を供給することにより、循環水を一定の量だけ交換する。
尚、所定時間は、例えば、循環水が汚れる時間を実験等で検証した上で決めればよい。
また、循環水交換処理を指示する図外の手動スイッチを設けて、当該手動スイッチが投入された場合に、制御装置５が上述した循環水交換処理を実行する構成としてもよい。
【００１９】
実施形態１によれば、破損しない水の屋根ＷＲを形成できる。つまり、水の屋根ＷＲなので、破損するということがない。
水の屋根ＷＲであるので、強風時や台風時等においては、水の屋根の形成装置を停止させておけばよい。尚、強風時や台風時等において、水の屋根の形成装置を駆動させておいたとしても、水の屋根ＷＲなので破損するということはない。
また、水により屋根ＷＲを形成するので、瞬時に屋根を形成したり、瞬時に屋根を消滅させることができ、アトラクションにも使用できる。
【００２０】
また、引用文献１のような屋根形成用膨出体を用いた構成では、左右の屋根形成用膨出体を水平方向に膨らむようにするためには、屋根形成用膨出体として特殊な構造のものが必要となったり、左右の屋根形成用膨出体を水平方向に膨らむようにガイドするガイド機構が必要になると考えられ、構成が複雑になる可能性がある。
また、引用文献１のような屋根形成用膨出体を膨らんだ状態から縮ませた場合、当該縮んだ屋根形成用膨出体が先端側が収容用カバー内に収容されずに収容用カバーから垂れ下がってしまって見栄えが悪くならないように、人手等によって屋根形成用膨出体を収容用カバー内に押し込む等の後作業が必要となってしまう可能性がある。
一方、実施形態１の水の屋根の形成装置では、簡単な装置構成となり、また、人感センサ６１や図外の装置スイッチからの信号の有無に基づいて、瞬時に屋根を形成したり、瞬時に屋根を消滅させることができるようになる。また、水の屋根ＷＲなので、美観に優れているという利点もある。
【００２１】
実施形態２
図８に示すように、通路Ｒの左右の側部のうちの一方の側部である例えば右側部ＲＲの路面に設けられた噴射側壁７Ａと、通路Ｒの左右の側部のうちの他方の側部である例えば左側部ＲＬの路面に設けられた水受手段としての水受壁７Ｂとを備えた構成としてもよい。尚、図８中、図１と同一部分又は相当部分には、同一符号を付している。
噴射側壁７Ａは、設置穴ＲＨの一対の長辺縁より上方に延長するように設けられた一対の対向壁７１，７１と、一対の対向壁７１，７１の上端縁より互いに離れる方向に傾斜して延長する一対の傾斜壁７２，７２とを備えて構成される。
水受壁７Ｂは、集水穴ＲＫの一対の長辺縁より上方に延長するように設けられた一対の対向壁７３，７３と、一対の対向壁７３，７３の上端縁より互いに離れる方向に傾斜して延長する一対の傾斜壁７４，７４とを備えて構成される。
【００２２】
実施形態２によれば、複数の噴射ヘッド１，１…を、各噴射口２，２…の長手方向と通路Ｒの延長方向Ｌとが一致するように、噴射側壁７Ａの一対の対向壁７１，７１の上端側間において、通路Ｒの延長方向Ｌに沿って並ぶように配置して、配置された複数の噴射口２，２…から水を噴射させることにより形成された複数の水膜ＷＦにより、通路Ｒの上方に水の屋根ＷＲが形成され、噴射された水が、水受壁７Ｂの一対の傾斜壁７４，７４上又は一対の対向壁７３，７３の上端側間を介して一対の対向壁７３，７３間を流下し、循環水路４に導かれる。
【００２３】
実施形態２によれば、複数の噴射ヘッド１，１…の噴射口２，２…から噴射された水を受けて循環水路４に導く水受手段としての水受壁７Ｂを備えたので、節水が可能となる。
また、噴射側壁７Ａ及び水受壁７Ｂを備えたので、通路Ｒを通過する人Ｈが噴射水流に触れて濡れてしまうことを防止できるようになる。
【００２４】
尚、水受手段は、例えば、実施形態１で説明した形成装置における集水穴ＲＫの周縁より上方に若干立ち上がるように設けられた囲み板により形成された構成であってもよい。
また、水受手段は、複数の噴射ヘッド１，１…毎に対応するように設けてもよい。
【００２５】
実施形態３
図９に示すように、複数の噴射ヘッド１，１…を、噴射口２の長手方向と通路Ｒの延長方向Ｌとが一致するように、通路Ｒの左右の側部（右側部ＲＲ及び左側部ＲＬ）にぞれぞれ設け、複数の噴射ヘッド１，１…が通路Ｒの延長方向Ｌに沿って千鳥状に並ぶように配置された構成としてもよい。尚、図９中、図１と同一部分又は相当部分には、同一符号を付している。また、図９では、通路Ｒ下の構成を明瞭にするため、通路Ｒ下の構成を実線で図示した。
例えば、図９に示すように、右側部ＲＲの路面側に、外側水膜ＷＦａを形成するための複数の噴射ヘッド１，１…を設けるとともに、左側部ＲＬの路面側に、内側水膜ＷＦｂを形成するための複数の噴射ヘッド１，１…を設ける。また、左側部ＲＬの路面側に、右側部ＲＲの路面側に設置された外側水膜ＷＦａを形成するための複数の噴射ヘッド１，１…から噴射された水を受ける集水穴ＲＫを設けて、当該集水穴ＲＫと当該外側水膜ＷＦａを形成するための複数の噴射ヘッド１，１…とを、集水管４１、分配管４２、複数の分岐管４３，４３…で構成された循環管路によって連通させる。同様に、右側部ＲＲの路面側に、左側部ＲＬの路面側に設置された内側水膜ＷＦｂを形成するための複数の噴射ヘッド１，１…から噴射された水を受ける集水穴ＲＫを設けて、当該集水穴ＲＫと当該内側水膜ＷＦｂを形成するための複数の噴射ヘッド１，１…とを、集水管４１、分配管４２、複数の分岐管４３，４３…で構成された循環管路によって連通させる。
実施形態３によれば、実施形態１；２と同様に、破損しない水の屋根ＷＲを形成できる。
【００２６】
尚、実施形態３は、実施形態２で説明した噴射側壁７Ａ及び水受壁７Ｂを備えた構成にも適用できる。
【００２７】
また、実施形態１乃至実施形態３では、集水管４１に上水道の配水管２１や下水道管２２を接続した構成を例示したが、集水管４１に水を供給するための貯水槽を接続するとともに、集水管４１から排出される水を貯留する排水槽を接続した構成として、定期的に、排水槽の水を排水するとともに、貯水槽に水を供給するようにしてもよい。また、当該排水槽と貯水槽とを連通管で接続し、当該排水槽に水を浄化する浄化手段を設けるようにすることで、節水及び浄水が可能となる。
【００２８】
また、人感センサ６１を設けずに、図外の手動スイッチからの信号を制御装置５に送信することで当該水の屋根の形成装置の駆動及び駆動停止を指示する構成としても良い。
即ち、実施形態１乃至実施形態３では、人感センサ６１及び図外の手動スイッチの両方を備えた構成であっても良いし、人感センサ６１及び手動スイッチのうちの一方のみを備えた構成であってもよい。
【００２９】
尚、実施形態１乃至実施形態３では、通路Ｒの上方に水の屋根ＷＲを形成する例を示したが、一定の領域の上方に水の屋根ＷＲを形成するようにしてもよい。
【００３０】
また、上記では、各分岐管４３，４３…毎に昇圧ポンプ５１を設ける例を示したが、図９に示すように、外側水膜ＷＦａを形成するための複数の噴射ヘッド１，１…に水を戻す循環水路４と、内側水膜ＷＦｂを形成するための複数の噴射ヘッド１，１…に水を戻す循環水路４とを、別々に設けて、これら各循環水路４；４における集水管４１の終端位置（分配管４２直前位置）に、昇圧ポンプ５１を１つだけ設けるように構成してもよい。
【００３１】
複数の噴射ヘッド１，１…毎に、循環水路４及び昇圧ポンプ５１を設けるようにした構成としてもよい。
【符号の説明】
【００３２】
１  噴射ヘッド、２  噴射口、４  循環水路、５  制御装置、６１  人感センサ、
７Ｂ  水受壁（水受手段）、Ｌ  通路の延長方向、Ｒ  通路、ＲＬ  通路の左側部、
ＲＲ  通路の右側部、ＷＦ  水膜、ＷＲ  水の屋根。
【図１】
2019089012.tif 000003
【図２】
2019089012.tif 000004
【図３】
2019089012.tif 000005
【図４】
2019089012.tif 000006
【図５】
2019089012.tif 000007
【図６】
2019089012.tif 000008
【図７】
2019089012.tif 000009
【図８】
2019089012.tif 000010
【図９】
2019089012.tif 000011